(57)【要約】【課題】迅速に組み立てることができる収納ボックスを提供する。【解決手段】本発明は、板紙から一体に折り畳まれ、底板と、底板の周囲からそれぞれ延びる左右の壁板および前後の壁板とを含む迅速に組み立てることができる収納ボックスである。各壁板が連結する四隅の各端部にはそれぞれ連結片が設けられており、各連結片は斜めの折り目を有しており、第１および第２フラップに分けられる。第１フラップは突出した位置決め片で外側に延び、各位置決片は収納ボックスが半分に折り畳まれた状態に事前に折り畳んだ後、左右の壁板に接着される。収納ボックスが中折り状態で立体形状に形成されるとき、ユーザーは左右の壁板の外側から内側に押される。左右の壁板を立てると、位置決め片と第１フラップを通して前後の壁板を立てることができ、立体状態をすばやく組み立てることができる。【選択図】図５
2020121809.tif 000002
【特許請求の範囲】
【請求項１】
迅速に組み立てることができる収納ボックスであり、前記収納ボックスは、板紙を折り畳んで形成され、底板と、前記底板の左右両側からそれぞれ延びる左壁板および右壁板と、ならびに底板の前側および後側からそれぞれ延びる前壁板および後壁板とを含み、前記左右の壁板と前後の壁板が連結する四隅にはそれぞれ連動片が設けられ、各連動片には、左右の壁板と前後の壁板が相互に連結する位置を起点として、斜め外側に延びる斜め折り目がそれぞれ設けられ、さらに、各連動片は、前、後壁板の側縁にそれぞれ隣接する第１フラップと、左右壁板にそれぞれ隣接する第２フラップに分けられており、その特徴は以下の通りであり、
位置決め片は、斜め折り目から各第１フラップの外側の左または右に延び、各位置決め片は隣接する第２フラップの外側にあり、そして、第２フラップとの間に外側から内側の前記斜め折り目まで延びる切断線を配置することにより、各位置決め片を斜め折り目を基準線として予め逆折り畳むことができ、そして、前記前、後壁板がそれぞれ底板に向かって折り畳まれて中折り状態を形成するとき、各連動片の第１および第２フラップは内側面で、隣接する左右の壁板に積み重ねて、各折り畳まれた位置決め片は外側面で左右の壁板にそれぞれ接着し、固定されており、左右の壁板が底板の反対側にあるとき、左右の壁板が立てられるように、外側から内側へ押すと、前、後壁板は、前方の第１フラップを通してそれぞれの連動片の位置決め片によって立てられることを特徴とする、迅速に組み立てることができる収納ボックス。
【請求項２】
前記位置決め片は、左、右壁板の内側面に接着および固定され、左、右壁板の左、右縁部と位置合わせされることを特徴とする、請求項１に記載の迅速に組み立てることができる収納ボックス。
【請求項３】
前記左、右壁板は、それぞれ左右の縁部からカバープレートを外側に延びており、前記左、右壁板、および前、後壁板が前記底板に対して立てられた後、前記２つのカバープレートはそれぞれ左、右壁板の内側に向かって折り返され、対応する２つの第１フラップおよび２つの位置決め片の内側に積み重ねられ、対応する２つの第１フラップおよび２つの位置決め片を遮蔽することを特徴とする、請求項１に記載の迅速に組み立てることができる収納ボックス。
【請求項４】
前記前、後壁板はそれぞれ前、後縁部から外側に補助補強板を延び、前記２つの補助補強板はそれぞれ対応する前、後壁板の内側に折り畳まれて固定されることを特徴とする、請求項１に記載の迅速に組み立てることができる収納ボックス。
【請求項５】
前記２つの補助補強板の左側縁部および右側縁部は、それぞれ対応する側の第１フラップ上に固定され、設けられた翼片で延びていることを特徴とする、請求項４に記載の迅速に組み立てることができる収納ボックス。
【請求項６】
各カバープレートおよび補助補強板の外縁は、それぞれ外向きに延長され、１つのサイドストリップを備えており、前記サイドストリップは、収納ボックスが折り畳まれて組み立てられる前に、対応するカバープレートと補助補強板の内側面に折り返され畳まれていることを特徴とする、請求項４に記載の迅速に組み立てることができる収納ボックス。
【発明の詳細な説明】
【技術分野】
【０００１】
本発明は、板紙を用いて折り畳まれた収納ボックスであり、収納ボックスが中折り状態から迅速に立体形状を形成できるようにすることを目的とする。
本発明は、２０１９年１月３０日に提出された台湾特許出願（出願番号１０８１０３５１８）の優先権を主張し、前記特許出願は、その図面に本発明の特徴を開示しており、参照として本出願明細書に含まれ、記載されている。
【背景技術】
【０００２】
一般に、紙製の収納ボックスは、製品を保護するだけでなく、製品の質感を引き立たせることができる。たとえば、携帯電話やタブレットコンピューターなどの高価な商品のハードパックボックスは、かなりの厚さの板紙を使用して形成されるため、パッケージ全体が絶妙で美しい視覚効果を発揮する。
【０００３】
収納ボックスは、折り畳まれ固定された厚紙で構成することができる。一般的な商業習慣によれば、折り畳み収納ボックスは通常、扁平な中折り状態を組み合わせて積み重ねスペースを節約する。販売側に輸送された後、販売業者は販売サイトで製品を包装するために立体状態に組み立てる。
【０００４】
図１から図４までは先行技術を示すものである。図１に示されるように、板紙１０１は、底板１０２、底板１０２の左側および右側からそれぞれ延びる左壁板１０３および右壁板１０４と、底板１０２の前側および後側からそれぞれ延びる前壁板１０５および後壁板１０６とを有する。左壁板１０３および右壁板１０４、ならびに前壁板１０５および後壁板１０６の四隅の端部には、それぞれ連動片２００が設けられている。各連動片２００には、それぞれ斜め折り目２０１が設けられており、それぞれ左、右壁板１０３、１０４の側部に隣接する第１フラップ２０２、及びそれぞれ前、後壁板１０５、１０６に隣接する第２フラップ２０３にさらに分けられている。左、右壁板１０３、１０４がそれぞれ底板１０２に向かって折り畳まれた後、４つの第２フラップ２０３は、隣接する前、後壁板１０５、１０６の２つの側面にそれぞれ接着され、すぐに図２に示す扁平な中折り状態１００ａに組み合わされることができる。
【０００５】
図３、４に示すように、ユーザーが中折り状態１００ａの左、右壁板１０３、１０４を外側に立てると、４つの連動片２００の第１フラップ２０２が同期して引っ張られる。付勢力が斜め折り目２０１と、前、後壁板１０５、１０６にそれぞれ接着された第２フラップ２０３を通過した後、前、後壁板１０５、１０６は、それぞれ第２フラップ２０３によって立てられ、収納ボックス１００を形成する。
【０００６】
図３に示すように、上記プロセスでは、力の伝達はまず、左、右壁板１０３、１０４によって４つの連動片２００の第１フラップ２０２を駆動する。そして、第１フラップ２０２の外側から内側に向かって、内側とは反対側に位置する斜め折り目２０１を通過した後、斜め折り目２０１の外側に位置する第２フラップ２０３をそれぞれ内側から外側に引っ張り、最後に、前、後壁板１０５、１０６が駆動され立てられている。
【０００７】
４つの連動片２００が前、後壁板１０５、１０６を引っ張り作動すると、第１フラップ２０２および第２フラップ２０３は、斜め折り目２０１に沿って折り曲げられて鋭角を形成する。第１フラップ２０２と第２フラップ２０３は、これまで曲げられていなかった方向に互いに反発し、力と反対する反発抵抗が発生するため、前壁板１０５と後壁板１０６に影響を与えて直立させ、力を加えるプロセス全体が順調にならなくなる。さらに、特に厚い板紙を使用する場合は、停滞感があり、壁板とフラップの折り畳みによって生じる自然な弾力性は特に明らかである。壁板とフラップは、これまで曲げられていなかった方向に簡単に跳ね返り、収納ボックスの組み立て速度に影響する。
【０００８】
さらに、図１において、第２フラップ２０３と前、後壁板１０５、１０６との間にそれぞれ破断ノッチ１０７を設けて、板紙の扁平な中折り状態へのその後の折り畳みを容易にする。しかしながら、収納ボックスが組み立てられた後、第２フラップ２０３と前壁板１０５および後壁板１０６との間のノッチ１０７は、図３に示されるように粗い縁を形成し得る。破断ノッチ１０７を設けることにより、全体の構造が十分に安定しておらず、外観が思うように美しくないので、製品の包装機能と質感に影響する。
【発明の概要】
【発明が解決しようとする課題】
【０００９】
先行技術の上記の欠点を克服するために、本発明の目的は、迅速に組み立てることができる収容ボックスを提供することである。特に、上記連動片の構造が改良され、収納箱が中折り状態で立体形状に形成され、連動片の反発抵抗が低減されるため、力の伝達がよりスムーズになり、停滞感が発生することはない。
【課題を解決するための手段】
【００１０】
上記目的を達成するために、本発明は、迅速に組み立てることができる収納ボックスである。収納ボックスは、板紙を折り畳んで形成され、底板と、底板の左右両側からそれぞれ延びる左壁板および右壁板と、ならびに底板の前側および後側からそれぞれ延びる前壁板および後壁板とを含む。左右の壁板と前後の壁板が連結する四隅にはそれぞれ連動片が設けられ、各連動片には、左右の壁板と前後の壁板が相互に連結する位置を起点として、斜め外側に延びる斜め折り目がそれぞれ設けられている。さらに、各連動片は、前、後壁板の側縁にそれぞれ隣接する第１フラップと、左、右壁板にそれぞれ隣接する第２フラップに分けられている。その特徴は以下の通りである。
位置決め片は、斜め折り目から各第１フラップの外側の左または右に延び、各位置決め片は隣接する第２フラップの外側にある。そして、第２フラップとの間に外側から内側の斜め折り目まで延びる切断線を配置することにより、各位置決め片を斜め折り目を基準線として予め逆折り畳むことができる。そして、前、後壁板がそれぞれ底板に向かって折り畳まれて中折り状態を形成するとき、各連動片の第１および第２フラップは内側面で、隣接する左右の壁板に畳み、寄りかかる。各折り畳まれた位置決め片は外側面で左右の壁板にそれぞれ接着、固定されている。左右の壁板が底板の反対側にあるとき、左、右の壁板が立てられるように、外側から内側へ押すと、前、後壁板は、前方の第１フラップを通してそれぞれの連動片の位置決め片によって立てられる。
【００１１】
上記構成によれば、収納ボックスが中折り状態のとき、各連動片の位置決め片は、まず第１フラップに向かって折り曲げられ、その後、左右の壁板に固定される。
従って、壁板が底板に対して起立すると、位置決め片と第１フラップは互いに折り畳まれた状態で自然に広げられる。また、左右の壁板に加えられる推力は、折り畳みによる第１フラップと第２フラップの反発抵抗よりもはるかに大きくなる。
【００１２】
したがって、収納ボックスが組み立てられるとき、左右の壁板により力伝達が行われ、４つの連結片の位置決め片が駆動される。そして、外側から内側の斜めの折り目を通過した後、斜めの折り目の内側にそれぞれ位置する第１フラップが前方に駆動され、続いて、前壁板と後壁板が立てられて、ユーザーが力を加えたときの粘着感を軽減し、それにより、収納ボックスを迅速に組み立てる効果を達成する。
【００１３】
以下は、各コンポーネントの実施形態ついてさらに説明する。
【００１４】
実施において、位置決め片は、左、右壁板の内側面に接着および固定され、左および右壁板の左および右縁部と位置合わせされる。
【００１５】
実施において、左右の壁板は、それぞれ左右の縁部からカバープレートが外側に延びている。左壁板と右壁板、および前壁板と後壁板が底板に対して立てられた後、２つのカバープレートはそれぞれ左右の壁板の内側に向かって折り返され、対応する２つの第１フラップおよび２つの位置決め片の内側に積み重ねられ、対応する２つの第１フラップおよび２つの位置決め片を遮蔽するためのものである。
【００１６】
実施において、前後壁板はそれぞれ前後縁部から外側に補助補強板を延び、２つの補助補強板はそれぞれ対応する前後壁板の内側に折り畳まれて固定される。
【００１７】
実施において、２つの補助補強板の左側縁部および右側縁部は、それぞれ対応する側の第１フラップ上に固定され、設けられた翼片で延びている。
【００１８】
実施において、各カバープレートおよび補助補強板の外縁は、それぞれ外向きに延長され、１つのサイドストリップを備えている。サイドストリップは、収納ボックスが折り畳まれて組み立てられる前に、対応するカバープレートと補助補強板の内側面に折り返され畳まれている。
【００１９】
以下、本発明の技術的手段に従って、本発明に適した実施形態を列挙し、以下の説明を図面と併せて行う。
【発明の効果】
【００２０】
従来技術と比較して、本発明は、連動片の構造を改善し、第１および第２フラップの反発抵抗を効果的に低減することができる。収納ボックスを中折り状態から立体形状に形成する過程で、力は左右の壁板によって伝達され、４つの連動片の位置決め片はそれぞれ斜め折り目の内側に位置する第１フラップにより、前、後壁板を前方に進めて立てる。力を加えるときのユーザーの停滞感を減らし、収納ボックスをすばやく組み立てる効果を達成する。さらに、位置決め片の配置により、板紙が切断されるとき、各連動片の第２フラップと左右の壁板の間に破断ノッチを設ける必要はなく、収納ボックスが組み立てられた後、折り畳まれた縁部が四隅の端部に形成されるため、構造全体が安定し、従来技術のように粗い縁部が生成されず、全体的な外観がより絶妙で美しくなる。
【図面の簡単な説明】
【００２１】
【図１】従来の収納ボックスの平面展開図である。
【図２】半分に折り畳まれた状態の従来の収納ボックスの概略図である。
【図３】従来の収納ボックスの組み立てプロセスの概略図ある。
【図４】従来の収納ボックスの組み立て完了の外観図である。
【図５】本発明の平面展開図である。
【図６】本発明の中折り状態の概略図である。
【図７】本発明の組み立てプロセスの概略図ある。
【図８】本発明の組み立て完了の外観図である。
【図９】本発明の第２実施形態の立体的外観図である。
【図１０】本発明の第３実施形態の平面展開図である。
【図１１】平らに折り畳まれた状態の本発明の第３実施形態の概略図である。
【図１２】本発明の第３実施形態の組立プロセスの概略図である。
【図１３】本発明の第３実施形態の組み立て完了の立体外観図である。
【発明を実施するための形態】
【００２２】
本発明の特徴および技術的内容をより良く理解するために、以下の本発明の詳細な説明および添付の図面を参照すべきであるが、図面は参照および説明のために提供され、本発明を限定するものではない。
【００２３】
図５に示すように、本発明は、迅速に組み立てることができる収納ボックスであり、収納ボックスは、板紙１００によって一体的に切断されて折り畳まれて形成される。底板１０、底板１０の左右から延びる左壁板１１および右壁板１２、ならびに底板１０の前後からそれぞれ延びる前壁板１３および後壁板１４を含む。左右壁板１１、１２および前後壁板１３、１４が連結する四隅にはそれぞれ連動片２０が設けられ、各連動片２０にはそれぞれ斜めの折り目２１が設けられている。
【００２４】
各連動片２０の斜め折り目２１は、左、右壁板１１、１２と前、後壁板１３、１４とが連結する位置を起点として斜め外側に延びている。さらに、連動片２０の各々は、前、後壁板１３、１４の側縁に隣接する第１フラップ２２と、左、右壁板１１、１２にそれぞれ隣接する第２フラップ２３とに分けられている。
【００２５】
位置決め片２４は、各第１フラップ２２の外側において、斜め折り目２１か左側または右側に延びている。各位置決め片２４は、隣接する第２フラップ２３の外側に位置しており、並びに第２フラップ２３との間に切断線２５が配置されている。切断線２５は、外側から内側に向かって斜め折り目２１まで延びている。各位置決め片２４は、斜め折り目２１を基準線として第１フラップ２２に向けて予め折り返し、各位置決め片２４の内側は第１フラップ２２の内側面に積み上げられる。
【００２６】
図６に示すように、前壁板１３および後壁板１４がそれぞれ底板１０の中心に向かって折り畳まれ、底板１０の上方に重なると、各連動片２０の第１および第２フラップ２２、２３は内側によって隣接する左、右壁板１１、１２に積み上げられる。そして、各折り返し位置決め片２４の外側面は、対応する左、右壁板１１、１２にそれぞれ接着して固定されており、収納ボックスは中折り状態を形成している。
【００２７】
図７および図８に示すように、使用者が中折り状態の左右のサイド壁板１１、１２を外側から内側に向かって押すと、左、右壁板１１、１２が底板１０に対して起立すると、各連動片２０の位置決め片２４が同期して移動する。付勢力が斜め折り目２１と第１フラップ２２を通過した後、前壁板１３と後壁板１４が立てられて、立体状態の収納ボックスを形成する。
【００２８】
上記実施形態では、連動片２０に第２フラップ２３が設けられていない場合や、第２フラップ２３が左、右壁板１１、１２に接続されていない場合でも、中折り状態の左、右壁板１１、１２が底板10に対して外側から内側に向かって立てられるとき、前壁板１３および後壁板１４は、位置決め片２４および第１フラップ２２を通して依然として立てることができる。この実施形態では、板紙が切断されるとき、各連動片２０の第２フラップ２３と左、右壁板１１および１２は、破断ノッチを備える必要がなく、相互接続されている。その利点は、収納ボックスが立体状態に組み立てられた後、連動片２０の第１および第２フラップ２２、２３が重なり合った状態を形成することである。そして、第２フラップ２３と左、右壁板１１および１２との間の四隅の端部の縁部にそれぞれ折り畳み縁部２６が形成されている。左、右壁板１１、１２および前、後壁板１３、１４の四隅の端部の構造強度を高めることができ、収納ボックスの縦方向の耐圧性を高めることができる。折り畳み縁部２６はまた、粗い縁部なしで全体の外観をより細かくかつ美的に満足させるための好ましい実施形態である。
【００２９】
さらに、収納ボックスが中折り状態にあるとき、各連動片２０の位置決め片２４は、最初に第１フラップ２２に向かって折り曲げられ、次いで、左、右壁板１１、１２に固定される。したがって、壁板が底板１０に対して起立すると、位置決め片２４および第１フラップ２２は互いに、最初に折り畳まれた状態から自然に展開する。左右の壁板１１、１２に加えられる推力は、折り畳みによる第１フラップ２２と第２フラップ２３との間の反発抵抗よりもはるかに大きい。収納ボックスが組み立てられるとき、力は、最初に左、右壁板１１、１２によって駆動される４つの連動片２０の位置決め片２４によって伝達される。そして、外側から内側に向かって内側に反対する位置の斜め折り目２１を通過した後、斜め折り目２１の内側にそれぞれ位置する第１フラップ２２を前方に駆動する。また、前壁板１３と後壁板１４を立てることにより、ユーザーが力を加えたときの貼り付き感が軽減され、収納ボックスを素早く組み立てる効果が得られる。
【００３０】
また、各連動片２０は、それぞれ左、右壁板１１、１２および前、後壁板１３、１４と接続するため、収納ボックスが中折り状態であっても、ユーザーは、底板１０に対して前壁板１３および後壁板１４を外側に最初に立てることも可能である。各連動片２０の第１フラップ２２は、同期して引っ張られ、力が各斜めの折り目２１及び左、右壁板１１、１２にそれぞれ接着された位置決め片２４を通過した後、前方への牽引力は、左、右壁板１１、１２を駆動して立ち上がって、立体状態の収納ボックスを形成する。
【００３１】
要するに、収納ボックスが中折り畳み状態にあるとき、左、右壁板１１、１２が外側から内側に押すことにより、前壁板１３および後壁板１４が立てられるように操作されるかどうかにかかわらず、前壁板および後壁板１３、１４を外側に向けて直立させ、左、右壁板１１、１２を直立させるように操作することも実施可能である。
【００３２】
図８および図９に示すように、位置決め片２４は、左、右壁板１１、１２の内側面に接着固定されており、左、右壁板１１、１２の左、右の縁部に位置合わせされている。
これにより、左壁板１１および右壁板１２の強度が強化され、収納ボックスの縦方向の耐圧力が高められ、収納ボックスが圧力によって変形しにくくなる。また、図９に示すように、左、右壁板１１、１２の幅に合わせて位置決め片２４の長さを伸ばすことができるため、サイズの異なる収納ボックスが構造の安定性を維持できる。
【００３３】
図１０〜図１３は本発明の第３実施形態であり、第１実施形態との違いは、左壁板１１および右壁板１２がそれぞれ左端および右端から外側に延びていることである。
前壁板１３および後壁板１４は、それぞれ前縁および後縁から外側に伸びる補助補強板４０を有し、２つの補助補強板４０の左右側縁は、それぞれ翼片４１が設けられて延びている。
【００３４】
図１０および図１１に示すように、２つの補助補強板４０は、それぞれ対応する前壁板１３および後壁板１４の内側に折り畳まれて固定されている。そして、補助補強板４０の左右の翼片４１を対応する第１フラップ２２にそれぞれ固定した後、前、後壁板１３、１４および２つの補助補強板４０を底板１０の中央に向けて折り畳み、底板１０の上に畳重なっており、扁平な中折り状態を形成する。各連動片２０および位置決め片２４の折り畳み方法および固定位置は、第１実施形態と同じであり、ここでは詳細を繰り返さない。
【００３５】
図１２および図１３に示すように、ユーザーが左、右壁板１１、１２を底板１０に対して外側から内側に押すと、左、右壁板１１、１２が起立するとき、各連結片２０の位置決め片２４は、第１フラップ２２をそれぞれ前方に駆動して、前壁板１３および後壁板１４と２つの補助補強板４０を上方に押し上げて立つことができる。同時に、各連動片２０の第１フラップ２２および位置決め片２４は、対応する左、右壁板１１、１２の内側面に対して展開され積み重ねた後、２つのカバープレート３０は、それぞれ左、右壁板１１、１２の内側面に向かって折り返され、そして、対応する２つの第１フラップ２２、２つの位置決め片２４および２つの翼片４１は、収納ボックスの外観を維持するために内側に積み重ねて遮蔽される。
【００３６】
さらに、この実施形態では、カバープレート３０および補助補強板４０の外縁はそれぞれ外側に延びてサイドストリップ５０を設けている。各サイドストリップ５０は、収納ボックスが折り畳まれて組み立てられる前に、対応するカバープレート３０および補助補強板４０の内側に対して内側に折り畳まれ得る。そして、各カバープレート３０および補助補強板４０が折り畳まれて対応する壁板に固定された後、各サイドストリップ５０は隠され、カバープレート３０および補助補強板４０は、収納ボックスが組み立てられた後、美しいレタッチエッジを形成する。
【００３７】
以上の説明は、本発明の好適な実施形態に過ぎず、本発明の保護範囲を限定するものではなく、本発明の説明及び添付図面を用いて全ての変更を加えたものも本発明の保護範囲に含まれる。
【符号の説明】
【００３８】
１００板紙
１０底板
１１左壁板
１２右壁板
１３前壁板
１４後壁板
２０連動片  
２１斜め折り目  
２２第１フラップ
２３第２フラップ
２４位置決め片
２５切断線
２６折り畳み縁部
３０カバープレート  
４０補助補強板
４１翼片
５０サイドストリップ
【図１】
2020121809.tif 000003
【図２】
2020121809.tif 000004
【図３】
2020121809.tif 000005
【図４】
2020121809.tif 000006
【図５】
2020121809.tif 000007
【図６】
2020121809.tif 000008
【図７】
2020121809.tif 000009
【図８】
2020121809.tif 000010
【図９】
2020121809.tif 000011
【図１０】
2020121809.tif 000012
【図１１】
2020121809.tif 000013
【図１２】
2020121809.tif 000014
【図１３】
2020121809.tif 000015